(57)【要約】      （修正有）【課題】多少の衝撃が加わった場合でも、レーザー光の投影が不能になることがないレーザー投射装置を提供することを目的とする。【解決手段】ケース１内に配設するレーザー発振器４ａを、任意の衝撃緩衝部材４ｂを介在させてレーザー発振器４ａの収容部材４に離脱不可に取り付け、また、レーザー発振器４ａから発射されたレーザー光５をライン状に変換する投射レンズに、少なくとも投射側の面が断面凸弧状のレンズを複数並設してなる並レンズ体すなわち垂直投射並レンズ体３ａを用いて構成する。  これにより、ケースに衝撃が加わった際でも衝撃緩衝部材によってその衝撃は緩和また吸収され、さらに、レーザー発振器の位置ズレが生じた際も、並レンズ体によって発射されたレーザー光を受け止めることができる。従って、レーザー発振器の電源ケーブル強度アップ化と合わせて耐久力のあるレーザー投射装置を提供することが可能になる。【選択図】 図１
2006284203.tif 000002
【特許請求の範囲】
【請求項１】
少なくとも投射側の面が断面凸弧状のレンズを複数並設してなる並レンズ体と、任意のレーザー光を発射可能なレーザー発振器が設けられており、前記レーザー発振器は衝撃緩衝手段を介して固定されていることを特徴とするレーザー投射装置
【請求項２】
前記並レンズ体に、水平方向のレーザーラインを投射する水平方向レンズと、垂直方向のレーザーラインを投射する垂直方向レンズの少なくとも２方向に投射可能なレンズが設けられていることを特徴とする請求項１のレーザー投射装置
【請求項３】
少なくとも投射側の面が断面凸弧状のレンズを設けたレンズ体と、任意のレーザー光を発射可能なレーザー発振器が設けられており、前記レンズ体はレーザー発振器から発射されたレーザー光の径より大きな径を有し、また、前記レーザー発振器は衝撃緩衝手段を介して固定されていることを特徴とするレーザー投射装置
【請求項４】
前記レンズ体に、水平方向のレーザーラインを投射する水平方向レンズと、垂直方向のレーザーラインを投射する垂直方向レンズの少なくとも２方向に投射可能なレンズが設けられていることを特徴とする請求項３のレーザー投射装置
【請求項５】
前記レンズ体が複数並設されていることを特徴とする請求項３のレーザー投射装置
【請求項６】
投射方向が異なる少なくとも２個のレンズを設けた投射レンズ体と、任意のレーザー光を発射可能なレーザー発振器が設けられており、前記投射レンズ体に設けられたレンズの一方は投射側の面が断面凸弧状のレンズを複数並設した並レンズ体で、他方はレーザー発振器から発射されたレーザー光の径より大きな径を有する少なくとも投射側の面が断面凸弧状のレンズ体であり、また、前記レーザー発振器は衝撃緩衝手段を介して固定されていることを特徴とするレーザー投射装置
【請求項７】
前記投射レンズ体に設けられたレンズは、水平方向のレーザーラインを投射する水平方向レンズと、垂直方向のレーザーラインを投射する垂直方向レンズの少なくとも２方向に投射できるレンズであることを特徴とする請求項６のレーザー投射装置
【請求項８】
前記投射レンズ体に設けられたレンズ体が複数並設されてなるものであることを特徴とする請求項６のレーザー投射装置
【発明の詳細な説明】
【技術分野】
【０００１】
本発明は、投影されたレーザー光線を作業の指示線として利用するレーザー投射装置に関するものである。
【背景技術】
【０００２】
従来、投影されたレーザー光線によって墨出しや取り付け位置のマーキングに用いられているものとしてレーザー投射装置がある。このレーザー投射装置は一般にレーザー墨出し器とも呼ばれており、高精度を追求した大型のものから一般レベルの水平／垂直のラインが投影できる携帯に便利な小型のものまで各種用意されている。
携帯に便利な小型のレーザー投射装置は、最近ではポケットに入る程度の大きさにまで小型化され且つ価格も従来より低減されているので、誰もが容易に持てる商品になっている。
【０００３】
この小型のレーザー投射装置は、ケース内部に、少なくともレーザー光を発射するレーザー発振器が設けられ、また、ケース面にはその発射されたレーザー光を所定の投影線に変換するロッドレンズ等のレンズと、ケースの水平状態を気泡の位置によって表示する表示器が設けられている。さらに、ケース底部にケースの水平を調節する調節手段が設けられている。
そして、レーザー発振器は、ケース面に固定的に設けられたレンズにそのレーザー発振器から発射されたレーザー光を寸分狂わず当てるためにケース部材に強固に固定されている。
【発明の開示】
【発明が解決しようとする課題】
【０００４】
しかしながら、このレーザー投射装置は小型化によって携帯に便利になった反面、使用する者の取り扱いが大型のレーザー投射装置よりもラフになってしまい落下や接触等による衝撃を受けることが多いのである。これにより、レーザー発振器の取付位置がズレて発射したレーザー光がレンズに当たらなくなる不具合やレーザー発振器が破損してレーザー光が発射できない不具合がある。
従って、本発明は上述した問題点に鑑みてなされたもので、多少の衝撃が加わった場合でも、レーザー光の投影が不能になることがないレーザー投射装置を提供することを目的とするものである。
【課題を解決するための手段】
【０００５】
本発明の要旨とするところは、少なくとも投射側の面が断面凸弧状のレンズを複数並設してなる並レンズ体と、任意のレーザー光を発射可能なレーザー発振器が設けられており、前記レーザー発振器は衝撃緩衝手段を介して固定されていることを特徴とするレーザー投射装置である。
【０００６】
本発明のレーザー投射装置を詳しく説明すると、レーザー投射装置のケースは使用目的に応じて任意の形状に形成すればよい。
そして、ケースの所望の部位には、少なくとも投射側の面が断面凸弧状のレンズを複数並設してなる並レンズ体が設けられている。その並レンズ体すなわち投射レンズは、それを通過したレーザー光を投影部に直線状に投影する。並レンズ体のケースへの配設形態は、例えば、ケース面と略面一に、あるいは、ケース面から突出してまたは引込んで設けられている。並レンズ体には、それを保護する任意の保護部材を固定的にまたは着脱自在に設けてもよい。例えば、任意の素材の窓やシャッター等である。
投射側の面とは、レーザー発振器から発射されたレーザー光を受ける並レンズ体のレーザー光が出る側の面である。
【０００７】
その並レンズ体は、少なくとも投射側の面が断面凸弧状のレンズ体をその周面方向に複数並設させた形態とするのがよく、その並レンズ体の形成は一体成型によって形成するのが望ましい。あるいは、その断面凸弧状のレンズ体をその周面方向に複数並べて並レンズ体を形成してもよい。この場合、レンズの並設部の隣接形態としては、隣接するレンズの周面をほぼ密着させた状態に並設させたり、または、一方のレンズの隣接部の周面を隣接するレンズの周面の一部と嵌合可能に湾曲形成して並設させたり、さらには、双方のレンズの隣接させる部位の周面を平面状に切断しその切断面を接合させて並設させてもよい。
【０００８】
断面凸弧状のレンズ体は普通柱状であり、その柱状とは、断面の長さより軸方向の長さが長いものを表すが、断面の長さが軸方向の長さより長いものを含み、その断面は、円形／略半円形／楕円形等を含み、また、その投射側の面がレーザー光を放射状に拡散可能な曲線または曲線と直線が組み合わされたものも含む。
また、並レンズ体の一つのレンズ径と照射されるレーザー光の径との関係は、並レンズ体の少なくとも隣合う２つのレンズにレーザー光が当たるようにするのがよい。しかして、投影部に一筋のレーザーラインが投影できればこの関係に限定するものではなく、レンズ径とレーザー光の径を任意に設定すればよい。
【０００９】
並レンズ体は、衝撃緩衝手段の作用によってレーザー発振器が最大量動いた（ズレた）場合を考慮してその大きさ（寸法）を選定する。すなわち、ズレが最大になった場合でも発射されたレーザー光が当たる大きさ（寸法）にしなければならない。
投影されるレーザーラインは、並レンズ体の取付方向によって水平または垂直のラインとして投影される。そして、並レンズ体に、水平方向のレーザーラインを投射する水平方向レンズと、垂直方向のレーザーラインを投射する垂直方向レンズの少なくとも２方向に投射可能なレンズを形成してもよい。
さらに、レーザー発振器から発射されたレーザー光をハーフミラーやシャッター部材等により、並レンズ体に案内する方向と、ポイント照射するためにケースの任意の部位に設けられた開口（窓）に案内する方向とに切り替えられるようにしてもよい。
【００１０】
そして、ケース内に配設されているレーザー発振器は、任意の衝撃緩衝手段を介して固定されている。衝撃緩衝手段とは、ケースが受けた衝撃を直接レーザー発振器本体に伝達しないようになっているものであり、それは、素材が有する性質によって衝撃を緩衝（吸収も含む）するようになっているものでも、また、軟質材料および／または硬質材料を組み合わせて衝撃を緩衝（吸収も含む）するようになっているものである。
その衝撃緩衝手段の具体的な例としては、レーザー発振器本体を衝撃の緩和あるいは吸収できる柔軟素材等の素材で被覆し、その被覆の外方から固定部材によってレーザー発振器本体をケース内に形成された設置部位に固定したり、衝撃の緩和あるいは吸収できる防振ゴム等が設けられたネジ等によってレーザー発振器本体をケース内に形成された設置部位に固定してもよい。
【００１１】
また、本発明に係るレーザー投射装置の他の形態としては、少なくとも投射側の面が断面凸弧状のレンズを設けたレンズ体と、任意のレーザー光を発射可能なレーザー発振器が設けられており、前記レンズ体はレーザー発振器から発射されたレーザー光の径より大きな径を有し、また、前記レーザー発振器は衝撃緩衝手段を介して固定されていることを特徴とするレーザー投射装置である。
【００１２】
これは、前述のレーザー投射装置のレーザー光を投影するレンズ部分（並レンズ体）を変えたもので、すなわち、並レンズ体に変えて、レーザー発振器から発射されたレーザー光の径より大きな径を有し、且つ少なくとも投射側の面が断面凸弧状のレンズを設けたレンズ体を配設したものである。レーザー光の径より大きな径とは、レーザー発振器から発射されるレーザー光の径より拡大された径を有するということである。
レンズ体は、衝撃緩衝手段の作用によってレーザー発振器が最大量動いた（ズレた）場合を考慮してその大きさ（寸法）を選定する。すなわち、ズレが最大になった場合でも発射されたレーザー光が当たる大きさ（寸法）にしなければならない。
【００１３】
そして、レンズ体の投射側の面とは、レーザー発振器から発射されたレーザー光を受けたレンズ体のレーザー光が出る側の面である。
投影されるレーザーラインは、レンズ体の取付方向によって水平または垂直のラインとして投影される。そして、レンズ体に、水平方向のレーザーラインを投射する水平方向レンズと、垂直方向のレーザーラインを投射する垂直方向レンズの少なくとも２方向に投射可能なレンズを形成してもよい。
さらには、適当な大きさのレンズ体を複数隣接状態で並設してもよい。
【００１４】
さらに、本発明に係るレーザー投射装置の他の形態としては、投射方向が異なる少なくとも２個のレンズを設けた投射レンズ体と、任意のレーザー光を発射可能なレーザー発振器が設けられており、前記投射レンズ体に設けられたレンズの一方は投射側の面が断面凸弧状のレンズを複数並設した並レンズ体で、他方はレーザー発振器から発射されたレーザー光の径より大きな径を有する少なくとも投射側の面が断面凸弧状のレンズ体であり、また、前記レーザー発振器は衝撃緩衝手段を介して固定されていることを特徴とするレーザー投射装置である。
すなわち、前述のレーザー投射装置の並レンズ体とレンズ体の２種のレンズを用いて構成したものである。
【００１５】
そして、レーザー投射装置には、上述した部材の他それらに関係する任意の部材等がケース内やケース面等に設けられる。具体的には、レーザー発振器を駆動させるための電源手段用であり、任意の１次電池あるいは２次電池である。さらには、レーザー発振器のオン／オフスイッチ、レーザーラインとレーザーポインタの切換スイッチ等が上げられる。
また、ケースの水平を見る水準器やケースの水平を調節するための調節手段、さらには、ケースを金属部材に磁着させるためのマグネット部材をケースの任意の部位に設けてもよい。
【００１６】
従って、本発明のレーザー投射装置は以上のように構成されているので、レーザー発振器の駆動電源スイッチがオンされると、レーザー発振器からレーザー光が発射され、そのレーザー光は直接または間接的に並レンズ体に案内される。このレーザー光は、並レンズ体を構成するレンズの1つまたは複数のレンズに当たり、且つそのレンズによって投影点が点状のレーザー光が放射状に拡散されて投射されて投影部に一筋のレーザーラインを描く。
【００１７】
そして、レーザー投射装置に、例えばケースの落下によって衝撃が加えられた場合、レーザー発振器が衝撃緩衝手段を介して固定されているので、ケースが受けた衝撃力の大きさがそのままレーザー発振器に伝達されることはなく、その衝撃力は衝撃緩衝手段によって低減または吸収される。
さらに、衝撃緩衝手段では緩衝できない極端に強い衝撃力を受けてレーザー発振器が所定の固定位置からズレた際も、投射レンズの所定の構成により、レーザー発振器から発射されたレーザー光が並レンズ体を構成する複数のレンズのどれかに当たることができ、且つそのレンズによって投影点が点状のレーザー光が放射状に拡散されて投射されて投影部に一筋のレーザーラインを描くことができる。
レーザー発振器のズレはそのレーザー発振器に加わる衝撃力を緩和する。
【００１８】
また、レンズがレーザー光の径より大きな径を有するレンズ体から構成されるものにおいても、衝撃力の大きさによってレーザー発振器が所定の固定位置からズレた際、レーザー発振器から発射されたレーザー光はレンズ体に当たることができ、且つそのレンズによって投影点が点状のレーザー光が放射状に拡散されて投射されて投影部に一筋のレーザーラインを描くことができる。
さらに、レンズ体が複数となっているものは、レーザー光がレンズ体を構成するレンズの1つまたは複数のレンズに当たることができ、且つそのレンズによって投影点が点状のレーザー光が放射状に拡散されて投射されて投影部に一筋のレーザーラインを描くことができる。
【発明の効果】
【００１９】
本発明のレーザー投射装置は以上のように構成されているので、レーザー投射装置に、例えばケースの落下や衝突等による衝撃を受けた際も、ケースが受けた衝撃力の大きさがそのままレーザー発振器に伝達されることはないため、レーザー発振器の故障や破損を防止できる。また、ケースが受けた衝撃力が大きく、レーザー発振器が所定の固定位置からズレた際も、そのズレによってレーザー発振器に加わる衝撃力が緩和されてレーザー発振器の故障や破損が防止され、さらには、投射レンズの所定の構造によってレーザー発振器から発射されたレーザー光は投射レンズに受け止められる。これにより、取り扱いも極端に慎重にならずとも普通に取り扱うことができる。従って、レーザー発振器の電源ケーブル強度アップ化と合わせて耐久力のあるレーザー投射装置を提供することが可能になる。
【発明を実施するための最良の形態】
【００２０】
本発明のレーザー投射装置を以下図面に従って説明すると、図１は、本発明に係るレーザー投射装置の概略内部構造を示す斜視図であり、１はレーザー投射装置のケース、２はケース１に固定的に設けられているレンズＡＳＳＹで、本図のレーザー投射装置には、垂直方向のレーザーラインを投射する垂直投射並レンズ体３ａが設けられている。４はケース１に固定的に設けられている収容部材で、この収容部材４にレーザー発振器４ａが衝撃緩衝部材４ｂを介在して、収容部材４から離脱不可に収容されている。
６はレーザー発振器４ａの駆動用電源となる電池、７はレーザー発振器４ａのオン／オフ用のスイッチ、８はケース１の水平を調整するための水準器である。
【００２１】
図２は、図１のレーザー投射装置のレーザー光の投射状態を示す斜視図であり、
レーザー発振器４ａから発射されたレーザー５光は垂直投射並レンズ体３ａによって垂直レーザーライン５ａに変換されて所定の部材に投影される。
そして、レーザー発振器４ａは衝撃緩衝部材４ｂを介して収容部材４に収容されているので、ケースが衝撃を受けた際も、その衝撃力がそのままレーザー発振器４ａに伝達されることはなく、衝撃は衝撃緩衝部材４ｂよって低減または吸収される。さらには、衝撃緩衝部材４ｂでは緩衝できない極端に強い衝撃を受け、レーザー発振器４ａが所定の位置からズレた際も、レーザー発振器４ａから発射されたレーザー５光は垂直投射並レンズ体３ａのいずれかのレンズに当たることができ、レーザー５光は垂直投射並レンズ体３ａによって垂直レーザーライン５ａに変換されて所定の部材に投影される。
【００２２】
図３は、図１のレーザー投射装置の一例を示す斜視図であり、１はレーザー投射装置のケース、７はレーザー発振器４ａのオン／オフ用のスイッチ、８はケース１の水平を調整するための水準器、９はライン状に変換されたレーザー光が投射される投射窓である。
【００２３】
図４は、他の形態のレーザー投射装置の概略内部構造を示す斜視図であり、本図のレーザー投射装置は、収容部材４にレーザー光を発射するレーザー発振器４ａを２基設ける共に、レンズＡＳＳＹ２に垂直方向のレーザーラインを投射する垂直投射並レンズ体３ａと水平方向のレーザーラインを投射する水平投射並レンズ体３ｂを設けたものである。
勿論、レーザー発振器４ａは衝撃緩衝部材４ｂを介して収容部材４に離脱不可に収容されている。スイッチ７は、レーザー発振器４ａのオン／オフと共に、垂直方向と水平方向のレーザー発振器４ａの切換等の機能も含まれる。
【００２４】
図５は、図４のレーザー投射装置のレーザー光の投射状態を示す斜視図であり、
レーザー発振器４ａから発射されたレーザー５光は垂直投射並レンズ体３ａによって垂直レーザーライン５ａに変換されて所定の部材に投影されるものと、水平投射並レンズ体３ｂによって水平レーザーライン５ｂに変換されて所定の部材に投影されるものの２本となる。
そして、レーザー発振器４ａは衝撃緩衝部材４ｂを介して収容部材４に収容されているので、ケースが衝撃を受けた際も、その衝撃力がそのままレーザー発振器４ａに伝達されることはなく、衝撃は衝撃緩衝部材４ｂよって低減または吸収される。さらには、衝撃緩衝部材４ｂでは緩衝できない極端に強い衝撃を受け、レーザー発振器４ａが所定の位置からズレた際も、レーザー発振器４ａから発射されたレーザー５光の垂直方向用は垂直投射並レンズ体３ａのいずれかのレンズに、また、水平方向用は水平投射並レンズ体３ｂのいずれかのレンズに当たるのことができ、レーザー５光は垂直投射並レンズ体３ａによって垂直レーザーライン５ａに、また、水平投射並レンズ体３ｂによって水平レーザーライン５ｂに変換されて所定の部材に投影される。
【００２５】
図６は、図４のレーザー投射装置の一例を示す斜視図であり、１はレーザー投射装置のケース、７はレーザー発振器４ａのオン／オフと共に、垂直方向と水平方向のレーザー発振器４ａの切換等の機能をも含むスイッチ、８はケース１の水平を調整するための水準器、９はライン状に変換されたレーザー光が投射される投射窓である。
【００２６】
図７は、他の形態のレーザー投射装置の概略内部構造を示す斜視図であり、本図のレーザー投射装置は、レーザー光の投射状態を切換可能にしたもので、ケース１に回転ダイヤル１０を設ける共に、それにレンズＡＳＳＹ２を２基取り付けて、その一方に垂直方向のレーザーラインを投射する垂直投射並レンズ体３ａを他方に水平方向のレーザーラインを投射する水平投射並レンズ体３ｂを設け、回転ダイヤル１０の回転操作により、垂直方向のレーザーラインまたは水平方向のレーザーラインを投射できるようにしたものである。また、回転ダイヤル１０を中間位置にすることによってレーザー光がポイント照射できる。
勿論、レーザー発振器４ａは衝撃緩衝部材４ｂを介して収容部材４に離脱不可に収容されている。
【００２７】
図８は、図７のレーザー投射装置の一例を示す斜視図であり、１はレーザー投射装置のケース、７はレーザー発振器４ａのオン／オフ用のスイッチ、８はケース１の水平を調整するための水準器、９はライン状に変換されたレーザー光またはポイント照射のレーザー光が投射される投射窓である。
【００２８】
図９は、図７のレーザー投射装置のレーザー光の投射状態を示す斜視図であり、レーザー光を５垂直に投射するための垂直投射並レンズ体３ａを設けたレンズＡＳＳＹ２と、レーザー光５を水平に投射するための水平投射並レンズ体３ｂを設けたを設けたレンズＡＳＳＹ２を、回転ダイヤル１０に取り付けたもので、回転ダイヤル１０の回転操作によってそれぞれのレンズＡＳＳＹ２は同期して水平に回転する。
（ａ）図は、垂直投射ラインのレンズＡＳＳＹ２を選択した時の斜視図で、垂直投射並レンズ体３ａを備えるレンズＡＳＳＹ２がレーザー光５の照射方向線上に位置されており、その垂直投射並レンズ体３ａによってレーザー光５が拡散され垂直レーザーライン５ａとして投射される。
（ｂ）図は、垂直投射並レンズ体３ａを備えるレンズＡＳＳＹ２から、水平投射並レンズ体３ｂを備えるレンズＡＳＳＹ２がレーザー光５の照射方向線上に位置されたもので、その水平投射並レンズ体３ｂによってレーザー光５が拡散され水平レーザーライン５ｂとして投射される。
（ｃ）図は、レーザー光のポイント照射を選択した時の斜視図であり、水平投射並レンズ体３ａを設けたレンズＡＳＳＹ２と垂直投射並レンズ体３ｂを設けたレンズＡＳＳＹ２位置を、レーザー発振器（図示なし）から照射されたレーザー光５の照射方向線上から外すことにより、レーザー光５はそのまま直進して投影部にポイント照射される。上方の楕円に表示するＣ記号は、水平投射並レンズ体３ａを設けたレンズＡＳＳＹ２および垂直投射並レンズ体３ｂを設けたレンズＡＳＳＹ２とレーザー光５との位置関係を示すものである。
【００２９】
図１０は、並レンズ体の一例を示す斜視図であり、３は並レンズ体で、少なくとも投射側の面が断面凸弧状のレンズを複数並列に並べた形態となっている。２はレンズＡＳＳＹで、並レンズ体３が設けられる一部分を示している。
【００３０】
図１１は、並レンズ体形成の一例を示す斜視図であり、２はレンズＡＳＳＹで、並レンズ体３が設けられる一部分を示している。
（ａ）図は、レンズＡＳＳＹ２と並レンズ体３が別体として形成され、後にレンズＡＳＳＹ２の設置部２ａに並レンズ体３を固定する形成例である。図示はしていないが、レンズＡＳＳＹ２の成型と同時にインサート成型によって別体として形成された並レンズ体３をレンズＡＳＳＹ２に形成してもよい。
（ｂ）は、レンズＡＳＳＹ２と並レンズ体３をレンズに使用可能な同一素材によって成型した形成例である。素材は、樹脂あるいはガラス等でもよい。
【００３１】
図１２は、並レンズ体並設形態の一例を示す斜視図であり、また、右図は、平面で見た図である。２はレンズＡＳＳＹで、並レンズ体３が設けられる一部分を示している。（ａ）図は、に断面円形の円柱状のレンズを任意の本数並設した形態の並レンズ体３である。（ｂ）図は、断面円形のその円周の一部を内方に円周と同じ曲率で切り欠き、その切り欠いた切り欠き部に並設する断面円形の円柱状のレンズを嵌合させて任意の本数並設した形態の並レンズ体３である。（ｃ）図は、断面円形のその円周の対向部の両側を直線的に切断し、その切断面を当接させて任意の本数並設した形態の並レンズ体３である。
【００３２】
図１３は、他の形態のレーザー投射装置の概略内部構造を示す斜視図であり、１はレーザー投射装置のケース、２はケース１に固定的に設けられているレンズＡＳＳＹで、本図のレーザー投射装置には、垂直方向のレーザーラインを投射する垂直投射レンズ体１１ａが設けられている。４はケース１に固定的に設けられている収容部材で、この収容部材４にレーザー発振器４ａが衝撃緩衝部材４ｂを介在して、収容部材４から離脱不可に収容されている。
６はレーザー発振器４ａの駆動用電源となる電池、７はレーザー発振器４ａのオン／オフ用のスイッチ、８はケース１の水平を調整するための水準器である。
【００３３】
図１４は、図１３のレーザー投射装置のレーザー光の投射状態を示す斜視図であり、レーザー発振器４ａから発射されたレーザー５光は垂直投射レンズ体１１ａによって垂直レーザーライン５ａに変換されて所定の部材に投影される。
そして、レーザー発振器４ａは衝撃緩衝部材４ｂを介して収容部材４に収容されているので、ケースが衝撃を受けた際も、その衝撃力がそのままレーザー発振器４ａに伝達されることはなく、衝撃は衝撃緩衝部材４ｂよって低減または吸収される。さらには、衝撃緩衝部材４ｂでは緩衝できない極端に強い衝撃を受け、レーザー発振器４ａが所定の位置からズレた際も、レーザー発振器４ａから発射されたレーザー５光は、レーザー５光の径より大きな径を有する垂直投射レンズ体１１ａに当たることができ、レーザー５光は垂直投射レンズ体１１ａによって垂直レーザーライン５ａに変換されて所定の部材に投影される。
【００３４】
図１５は、他の形態のレーザー投射装置の概略内部構造を示す斜視図であり、本図のレーザー投射装置は、収容部材４にレーザー光を発射するレーザー発振器４ａを２基設ける共に、レンズＡＳＳＹ２に垂直方向のレーザーラインを投射する垂直投射レンズ体１１ａと水平方向のレーザーラインを投射する水平投射レンズ体１１ｂを設けたものである。
勿論、レーザー発振器４ａは衝撃緩衝部材４ｂを介して収容部材４に離脱不可に収容されている。スイッチ７は、レーザー発振器４ａのオン／オフと共に、垂直方向と水平方向のレーザー発振器４ａの切換等の機能も含まれる。
【００３５】
図１６は、図１５のレーザー投射装置のレーザー光の投射状態を示す斜視図であり、レーザー発振器４ａから発射されたレーザー５光は垂直投射レンズ体１１ａによって垂直レーザーライン５ａに変換されて所定の部材に投影されるものと、水平投射レンズ体１１ｂによって水平レーザーライン５ｂに変換されて所定の部材に投影されるものの２本となる。
そして、レーザー発振器４ａは衝撃緩衝部材４ｂを介して収容部材４に収容されているので、ケースが衝撃を受けた際も、その衝撃力がそのままレーザー発振器４ａに伝達されることはなく、衝撃は衝撃緩衝部材４ｂよって低減または吸収される。さらには、衝撃緩衝部材４ｂでは緩衝できない極端に強い衝撃を受け、レーザー発振器４ａが所定の位置からズレた際も、レーザー発振器４ａから発射されたレーザー５光の垂直方向用は、レーザー５光の径より大きな径を有する垂直投射レンズ体１１ａのレンズに、また、水平方向用は、レーザー５光の径より大きな径を有する水平投射レンズ体１１ｂのレンズに当たるのことができ、レーザー５光は垂直投射レンズ体１１ａによって垂直レーザーライン５ａに、また、水平投射レンズ体１１ｂによって水平レーザーライン５ｂに変換されて所定の部材に投影される。
【００３６】
図１７は、レンズ体の一例を示す斜視図であり、１１はレンズ体で、少なくとも投射側の面が断面凸弧状のレンズ体１１を設けた形態となっている。２はレンズＡＳＳＹで、レンズ体１１が設けられる一部分を示している。（ａ）図は、断面円形のレンズ体１１である。（ｂ）図は、断面半円形のレンズ体１１である。（ｃ）図は、断面円形の円周の一部が切り欠かれた形状のレンズ体１１である。図中の矢印はレーザー光の投射方向である。
【００３７】
図１８は、他の形態のレンズ体の一例を示す斜視図であり、本図は、レンズ体１１を複数（本図では２個）設けているものを示す。１１はレンズ体で、少なくとも投射側の面が断面凸状のレンズ体１１を設けた形態となっている。２はレンズＡＳＳＹで、レンズ体１１が設けられる一部分を示している。（ａ）図は、断面円形のレンズ体１１である。（ｂ）図は、断面半円形のレンズ体１１である。（ｃ）図は、断面円形の円周の一部が切り欠かれた形状のレンズ体１１である。図中の矢印はレーザー光の投射方向である。
【００３８】
図１９は、他の形態のレーザー投射装置の概略内部構造を示す斜視であり、本図のレーザー投射装置は、収容部材４にレーザー光を発射するレーザー発振器４ａを２基設ける共に、レンズＡＳＳＹ２に垂直方向のレーザーラインを投射する垂直投射並レンズ体３ａと水平方向のレーザーラインを投射する水平投射レンズ体１１ｂを設けたものである。すなわち、レンズＡＳＳＹ２の投射レンズを、垂直方向の投射レンズと水平方向の投射レンズで、形態の異なる並レンズ体とレンズ体の２種の投射レンズを用いたものである。
勿論、レーザー発振器４ａは衝撃緩衝部材４ｂを介して収容部材４に離脱不可に収容されている。スイッチ７は、レーザー発振器４ａのオン／オフと共に、垂直方向と水平方向のレーザー発振器４ａの切換等の機能も含まれる。
【００３９】
図２０は、他の形態のレーザー投射装置の概略内部構造を示す斜視であり、本図のレーザー投射装置は、収容部材４にレーザー光を発射するレーザー発振器４ａを２基設ける共に、レンズＡＳＳＹ２に垂直方向のレーザーラインを投射する垂直投射レンズ体１１ａと水平方向のレーザーラインを投射する水平投射並レンズ体３ｂを設けたものである。すなわち、レンズＡＳＳＹ２の投射レンズを、垂直方向の投射レンズと水平方向の投射レンズで、形態の異なる並レンズ体とレンズ体の２種の投射レンズを用いたものである。
勿論、レーザー発振器４ａは衝撃緩衝部材４ｂを介して収容部材４に離脱不可に収容されている。スイッチ７は、レーザー発振器４ａのオン／オフと共に、垂直方向と水平方向のレーザー発振器４ａの切換等の機能も含まれる。
【図面の簡単な説明】
【００４０】
【図１】本発明に係るレーザー投射装置の概略内部構造を示す斜視図
【図２】図１のレーザー投射装置のレーザー光の投射状態を示す斜視図
【図３】図１のレーザー投射装置の一例を示す斜視図
【図４】他の形態のレーザー投射装置の概略内部構造を示す斜視図
【図５】図４のレーザー投射装置のレーザー光の投射状態を示す斜視図
【図６】図４のレーザー投射装置の一例を示す斜視図
【図７】他の形態のレーザー投射装置の概略内部構造を示す斜視図
【図８】図７のレーザー投射装置の一例を示す斜視図
【図９】図７のレーザー投射装置のレーザー光の投射状態を示す斜視図
【図１０】並レンズ体の一例を示す斜視図
【図１１】並レンズ体形成の一例を示す斜視図
【図１２】並レンズ体並設形態の一例を示す斜視図
【図１３】他の形態のレーザー投射装置の概略内部構造を示す斜視図
【図１４】図１３のレーザー投射装置のレーザー光の投射状態を示す斜視図
【図１５】他の形態のレーザー投射装置の概略内部構造を示す斜視図
【図１６】図１５のレーザー投射装置のレーザー光の投射状態を示す斜視図
【図１７】レンズ体の一例を示す斜視図
【図１８】他の形態のレンズ体の一例を示す斜視図
【図１９】他の形態のレーザー投射装置の概略内部構造を示す斜視
【図２０】他の形態のレーザー投射装置の概略内部構造を示す斜視
【符号の説明】
【００４１】
１−ケース，２−レンズＡＳＳＹ，２ａ−設置部，３−並レンズ体，３ａ−垂直投射並レンズ体，３ｂ−水平投射並レンズ体，４−収容部材，４ａ−レーザー発振器、４ｂ−衝撃緩衝部材，５−レーザー光，５ａ−垂直レーザーライン，５ｂ−水平レーザーライン，６−電池，７−スイッチ，８−水準器，９−投射窓，１０−回転ダイヤル，１１−レンズ体，１１ａ−垂直投射レンズ体，１１ｂ−水平投射レンズ体
【図１】
2006284203.tif 000003
【図２】
2006284203.tif 000004
【図３】
2006284203.tif 000005
【図４】
2006284203.tif 000006
【図５】
2006284203.tif 000007
【図６】
2006284203.tif 000008
【図７】
2006284203.tif 000009
【図８】
2006284203.tif 000010
【図９】
2006284203.tif 000011
【図１０】
2006284203.tif 000012
【図１１】
2006284203.tif 000013
【図１２】
2006284203.tif 000014
【図１３】
2006284203.tif 000015
【図１４】
2006284203.tif 000016
【図１５】
2006284203.tif 000017
【図１６】
2006284203.tif 000018
【図１７】
2006284203.tif 000019
【図１８】
2006284203.tif 000020
【図１９】
2006284203.tif 000021
【図２０】
2006284203.tif 000022